【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
板金ストリップ（１）から板金プレートを切り出す装置において、
前記板金ストリップ（１）の搬送方向（Ｔ）および該搬送方向（Ｔ）と直交するｙ方向に前進後退可能なレーザ切断装置（２）と、
前記搬送方向（Ｔ）において前記レーザ切断装置（２）と共に前進後退可能な第１の端部（７）を有する第１のコンベアベルトと、
前記第１の端部（７）に対向し、前記搬送方向（Ｔ）に前進後退可能な第２の端部（８）を有する第２のコンベアベルトと、
を備え、
前記第１の端部（７）および前記第２の端部（８）は、前記レーザ切断装置により励起されるレーザビーム（Ｌ）が、前記第１の端部（７）および前記第２の端部（８）の間に形成され、前記ｙ方向に延びる間隙（Ｓ）を指向するように動かされ、
前記レーザビーム（Ｌ）と位置あわせされて共に前記ｙ方向に前進後退可能な遮蔽体（１８）が、前記間隙（Ｓ）に設けられ、
前記板金ストリップ（１）の下面（Ｕ）から離間する排出方向（Ａ）に延びるダスト排出坑（９）が設けられており、
前記ダスト排出坑（９）には、前記間隙（Ｓ）を通風するための通風手段が設けられており、
前記通風手段は、前記ダスト排出坑を貫通する通風用空隙路（１４ａ、１４ｂ）を備える、
装置。
【請求項２】
請求項１に記載の装置において、前記遮蔽体（１８）は、互いに回動可能に連結された金属部材（２５，２６）から形成され、このうち、第１の金属部材（２５）は前記レーザビーム（Ｌ）が通過するための開口部（２０）を有し、第２の金属部材（２６）はカバー（２７）を有する装置。
【請求項３】
請求項１または２に記載の装置において、前記遮蔽体（１８）は、前記レーザビーム（Ｌ）が通過する開口部（２０）が設けられた歯付きベルト（２３）またはステンレス鋼ベルトから形成される装置。
【請求項４】
請求項１から３のいずれか一項に記載の装置において、駆動装置（２１）が設けられており、該駆動装置を用いることで前記遮蔽体（１８）が前進後退可能である装置。
【請求項５】
請求項１から４のいずれか一項に記載の装置において、第１の帯状支持部材（３）を有する第１の支持手段が前記第１のコンベアベルトの前記第１の端部（７）の位置に設けられ、前記第１の帯状支持部材（３）に対向する第２の帯状支持部材（４）を有する第２の支持手段が前記第２の端部（８）の位置に設けられて、前記第１の帯状支持部材（３）および前記第２の帯状支持部材（４）の間に前記間隙（Ｓ）が形成される装置。
【請求項６】
請求項１から５のいずれか一項に記載の装置において、前記板金プレートに面する第１および／または第２のコンベアベルトの上面が、前記搬送方向（Ｔ）の第１の移動平面（ＢＥ１）を形成し、該第１の移動平面（ＢＥ１）は、前記遮蔽体（１８）の前記ｙ方向の第２の移動平面（ＢＥ２）の上方に配置されており、該第２の移動平面は、前記レーザ切断装置に面する前記遮蔽体（１８）の上面（Ｏｂ）によって形成される装置。
【請求項７】
請求項５または請求項５に従属するときの請求項６に記載の装置において、前記レーザ切断装置に面する前記帯状支持部材（３，４）の支持面（１１ａ，１１ｂ）が、前記搬送方向（Ｔ）の第１の移動平面（ＢＥ１）を形成し、該第１の移動平面（ＢＥ１）は、前記遮蔽体（１８）の前記ｙ方向の第２の移動平面（ＢＥ２）の上方に配置されており、該第２の移動平面は、前記レーザ切断装置に面する前記遮蔽体（１８）の上面（Ｏｂ）によって形成される装置。
【請求項８】
請求項５、請求項５に従属するときの請求項６、または請求項７のいずれか一項に記載の装置において、前記帯状支持部材（３，４）のうちの少なくとも１つから、前記レーザ切断装置（２）から離間する向きの排出方向（Ａ）に延びる前記ダスト排出坑（９）が設けられた装置。
【請求項９】
請求項５または請求項５に従属するときの請求項６から８のいずれか一項に記載の装置において、少なくとも１つの前記帯状支持部材（３，４）には、前記間隙（Ｓ）に通風する通風手段（１２，１３ａ，１３ｂ，１３ｃ，１４ａ，１４ｂ）が設けられている装置。
【請求項１０】
請求項９に記載の装置において、前記通風手段（１２，１３ａ，１３ｂ，１３ｃ，１４ａ，１４ｂ）は、前記帯状支持部材（３，４）の前記支持面（１１ａ，１１ｂ）に設けられた通風溝（１２，１３ａ，１３ｂ，１３ｃ）を含む装置。
【請求項１１】
請求項１０に記載の装置において、前記通風溝（１２，１３ａ，１３ｂ，１３ｃ）は、前記搬送方向（Ｔ）に延びる前記支持面（１１ａ，１１ｂ）の長さ（Ｌｇ１）にわたって延在する装置。
【請求項１２】
請求項１０または１１に記載の装置において、前記通風溝（１２，１３ａ，１３ｂ，１３ｃ）は、前記搬送方向（Ｔ）に対して平行または傾斜している装置。
【請求項１３】
請求項９から１２のいずれか一項に記載の装置において、前記通風手段（１２，１３ａ，１３ｂ，１３ｃ，１４ａ，１４ｂ）は、前記帯状支持部材（３，４）のうちの少なくとも１つを貫通する通風用空隙路（１４ａ，１４ｂ）を備える装置。
【請求項１４】
請求項１から１３のいずれか一項に記載の装置において、前記通風溝（１２，１３ａ，１３ｂ，１３ｃ）および／または通風用空隙路（１４ａ，１４ｂ）に空気を供給するファン（１６）が設けられている装置。
【請求項１５】
請求項１から１４のいずれか一項に記載の装置において、前記ダスト排出坑（９）は、前記排出方向（Ａ）に向けて広がる断面を有する装置。
【請求項１６】
請求項１から１５のいずれか一項に記載の装置において、前記帯状支持部材（３，４）および／または前記ダスト排出坑（９）は、銅製または実質的に銅からなる合金製である装置。
【請求項１７】
請求項１から１６のいずれか一項に記載の装置において、前記ダスト排出坑（９）は、切屑（Ｓｓ）を集塵する容器（Ｂ）に連結されている装置。
【請求項１８】
請求項５または請求項５に従属するときの請求項６から１７のいずれか一項に記載の装置において、前記ダスト排出坑（９）は２つの前記帯状支持部材（３，４）のうちの一方にのみ連結されている装置。
【請求項１９】
請求項５または請求項５に従属するときの請求項６から１８のいずれか一項に記載の装置において、前記ダスト排出坑（９）は、前記排出方向（Ａ）に延びる２つの壁（１０ａ，１０ｂ）によって形成されており、前記壁（１０ａ，１０ｂ）の少なくとも一方は前記帯状支持部材（３，４）の一方に取り付けられる装置。
【請求項２０】
請求項１から１９のいずれか一項に記載の装置において、エアナイフを形成するために、前記ファン（１６）に連結された開口部（１４ａ，１４ｂ）が前記ダスト排出坑（９）のエッジ領域に設けられている装置。
【手続補正２】
【補正対象書類名】明細書
【補正対象項目名】００５７
【補正方法】変更
【補正の内容】
【００５７】
間隙Ｓに収納された遮蔽体１８は、切断ノズル２と共に搬送方向Ｔに移動する帯状支持部材３，４と共に搬送方向に前進後退する。これとは別に、遮蔽体は、切断ノズル２を通って射出されるレーザビームＬが常に開口部２０と一致するように、切断ノズル２と共にｙ方向に前進後退する。このために、例えば、スプロケットまたは歯付きベルトディスクとして形成することができる付加的な転向プーリ２１の１つに、駆動装置を設けてもよい。この駆動装置は、例えば、制御装置に接続されたサーボモータやアクチュエータである。この制御装置はレーザ切断装置をｙ方向で制御しかつ遮蔽体１８をｙ方向で制御するために使用され、より具体的には、レーザビームＬが常に遮蔽体１８の開口部２０を指向するように制御するために用いられる。
なお本発明は、実施の態様として、下記の内容を含む。
〔態様１〕
板金ストリップ（１）から板金プレートを切り出す装置において、
前記板金ストリップ（１）の搬送方向（Ｔ）および該搬送方向（Ｔ）と直交するｙ方向に前進後退可能なレーザ切断装置（２）と、
前記搬送方向（Ｔ）において前記レーザ切断装置（２）と共に前進後退可能な第１の端部（７）を有する第１のコンベアベルトと、
前記第１の端部（７）に対向し、前記搬送方向（Ｔ）に前進後退可能な第２の端部（８）を有する第２のコンベアベルトと、
を備え、
前記第１の端部（７）および前記第２の端部（８）は、前記レーザ切断装置により励起されるレーザビーム（Ｌ）が、前記第１の端部（７）および前記第２の端部（８）の間に形成され、前記ｙ方向に延びる間隙（Ｓ）を指向するように動かされ、
前記レーザビーム（Ｌ）と位置あわせされて共に前記ｙ方向に前進後退可能な遮蔽体（１８）が、前記間隙（Ｓ）に設けられていることを特徴とする、
装置。
〔態様２〕
態様１に記載の装置において、前記遮蔽体（１８）は、互いに回動可能に連結された金属部材（２５，２６）から形成され、このうち、第１の金属部材（２５）は前記レーザビーム（Ｌ）が通過するための開口部（２０）を有し、第２の金属部材（２６）はカバー（２７）を有する装置。
〔態様３〕
態様１または２に記載の装置において、前記遮蔽体（１８）は、前記レーザビーム（Ｌ）が通過する開口部（２０）が設けられた歯付きベルト（２３）またはステンレス鋼ベルトから形成される装置。
〔態様４〕
態様１から３のいずれか一態様に記載の装置において、駆動装置（２１）が設けられており、該駆動装置を用いることで前記遮蔽体（１８）が前進後退可能である装置。
〔態様５〕
態様１から４のいずれか一態様に記載の装置において、第１の帯状支持部材（３）を有する第１の支持手段が前記第１のコンベアベルトの前記第１の端部（７）の位置に設けられ、前記第１の帯状支持部材（３）に対向する第２の帯状支持部材（４）を有する第２の支持手段が前記第２の端部（８）の位置に設けられて、前記第１の帯状支持部材（３）および前記第２の帯状支持部材（４）の間に前記間隙（Ｓ）が形成される装置。
〔態様６〕
態様１から５のいずれか一態様に記載の装置において、前記板金プレートに面する第１および／または第２のコンベアベルトの上面が、前記搬送方向（Ｔ）の第１の移動平面（ＢＥ１）を形成し、該第１の移動平面（ＢＥ１）は、前記遮蔽体（１８）の前記ｙ方向の第２の移動平面（ＢＥ２）の上方に配置されており、該第２の移動平面は、前記レーザ切断装置に面する前記遮蔽体（１８）の上面（Ｏｂ）によって形成される装置。
〔態様７〕
態様５から６のいずれか一態様に記載の装置において、前記レーザ切断装置に面する前記帯状支持部材（３，４）の支持面（１１ａ，１１ｂ）が、前記搬送方向（Ｔ）の第１の移動平面（ＢＥ１）を形成し、該第１の移動平面（ＢＥ１）は、前記遮蔽体（１８）の前記ｙ方向の第２の移動平面（ＢＥ２）の上方に配置されており、該第２の移動平面は、前記レーザ切断装置に面する前記遮蔽体（１８）の上面（Ｏｂ）によって形成される装置。
〔態様８〕
態様１から７のいずれか一態様に記載の装置において、前記帯状支持部材（３，４）のうちの少なくとも１つから、前記レーザ切断装置（２）から離間する向きの排出方向（Ａ）に延びるダスト排出坑（９）が設けられた装置。
〔態様９〕
態様１から８のいずれか一態様に記載の装置において、少なくとも１つの前記帯状支持部材（３，４）には、前記間隙（Ｓ）に通風する通風手段（１２，１３ａ，１３ｂ，１３ｃ，１４ａ，１４ｂ）が設けられている装置。
〔態様１０〕
態様１から９のいずれか一態様に記載の装置において、前記通風手段（１２，１３ａ，１３ｂ，１３ｃ，１４ａ，１４ｂ）は、前記帯状支持部材（３，４）の前記支持面（１１ａ，１１ｂ）に設けられた通風溝（１２，１３ａ，１３ｂ，１３ｃ）を含む装置。
〔態様１１〕
態様１から１０のいずれか一態様に記載の装置において、前記通風溝（１２，１３ａ，１３ｂ，１３ｃ）は、前記搬送方向（Ｔ）に延びる前記支持面（１１ａ，１１ｂ）の長さ（Ｌｇ１）にわたって延在する装置。
〔態様１２〕
態様１から１１のいずれか一態様に記載の装置において、前記通風溝（１２，１３ａ，１３ｂ，１３ｃ）は、前記搬送方向（Ｔ）に対して平行または傾斜している装置。
〔態様１３〕
態様１から１２のいずれか一態様に記載の装置において、前記通風手段（１２，１３ａ，１３ｂ，１３ｃ，１４ａ，１４ｂ）は、前記帯状支持部材（３，４）のうちの少なくとも１つを貫通する通風用空隙路（１４ａ，１４ｂ）を備える装置。
〔態様１４〕
態様１から１３のいずれか一態様に記載の装置において、前記通風溝（１２，１３ａ，１３ｂ，１３ｃ）および／または通風用空隙路（１４ａ，１４ｂ）に空気を供給するファン（１６）が設けられている装置。
〔態様１５〕
態様１から１４のいずれか一態様に記載の装置において、前記ダスト排出坑（９）は、前記排出方向（Ａ）に向けて広がる断面を有する装置。
〔態様１６〕
態様１から１５のいずれか一態様に記載の装置において、前記帯状支持部材（３，４）および／または前記ダスト排出坑（９）は、銅製または実質的に銅からなる合金製である装置。
〔態様１７〕
態様１から１６のいずれか一態様に記載の装置において、前記ダスト排出坑（９）は、切屑（Ｓｓ）を集塵する容器（Ｂ）に連結されている装置。
〔態様１８〕
態様１から１７のいずれか一態様に記載の装置において、前記ダスト排出坑（９）は２つの前記帯状支持部材（３，４）のうちの一方にのみ連結されている装置。
〔態様１９〕
態様１から１８のいずれか一態様に記載の装置において、前記ダスト排出坑（９）は、前記排出方向（Ａ）に延びる２つの壁（１０ａ，１０ｂ）によって形成されており、前記壁（１０ａ，１０ｂ）の少なくとも一方は前記帯状支持部材（３，４）の一方に取り付けられる装置。
〔態様２０〕
態様１から１９のいずれか一態様に記載の装置において、エアナイフを形成するために、前記ファン（１６）に連結された開口部（１４ａ，１４ｂ）が前記ダスト排出坑（９）のエッジ領域に設けられている装置。